【手続補正書】
【提出日】平成23年3月28日(2011.3.28)
【手続補正１】
【補正対象書類名】特許請求の範囲
【補正対象項目名】全文
【補正方法】変更
【補正の内容】
【特許請求の範囲】
【請求項１】
複数の被写体像を時系列的に順次取得する撮影手段と、
時系列において、前記撮影手段により取得された前記被写体像が変化したか否かを判断する判断手段と、
前記判断手段により変化したと判断された被写体像を、記録媒体に記録する記録制御手段と、
被写体像を表示する表示手段と、
前記記録媒体に記録された各被写体像を、前記表示手段に所定の時間間隔で順次表示させる表示制御手段と、
前記表示制御手段により表示される被写体像の後に表示されるべき、前記記録制御手段によって記録されなかった被写体像の破棄数を算出する破棄数算出手段と、
前記破棄数算出手段により算出された被写体像の破棄数に基づいて、前記表示制御手段による被写体像の表示時間を制御する表示時間制御手段と、
を具備することを特徴とする撮影装置。
【請求項２】
前記判断手段は、
前記撮影手段により取得された第１の被写体像と、時系列において前記第１の被写体像に隣接し且つ前記第１の被写体像よりも前に位置する第２の被写体像との間に変化があるか否かを順次判断し、
前記記録制御手段は、
前記判断手段により変化があると判断された場合、前記第１の被写体像を前記記録媒体に記録する、
ことを特徴とする請求項１記載の撮影装置。
【請求項３】
前記判断手段は、
前記第１の被写体像と、前記第２の被写体像との差分を算出する第１の演算手段を備え、
前記第１の演算手段により算出された差分が所定以上であった場合に、前記第１の被写体像と前記第２の被写体像との間に変化があると判断する、
ことを特徴とする請求項２記載の撮影装置。
【請求項４】
前記判断手段は、
前記撮影手段により第１の時点において取得された第１の被写体像と、第１の時点の直前において被写体像が変化した第２の時点で取得された第３の被写体像との間に変化があるか否かを順次判断し、
前記記録制御手段は、
前記判断手段により変化があると判断された場合、前記第１の被写体像を前記記録媒体に記録する、
ことを特徴とする請求項１記載の撮影装置。
【請求項５】
前記判断手段は、
前記第１の被写体像と、前記第３の被写体像との差分を算出する第２の演算手段を備え、
前記第２の演算手段により算出された差分が所定以上であった場合に、前記第１の被写体像と前記第３の被写体像との間に変化があると判断する、
ことを特徴とする請求項４記載の撮影装置。
【請求項６】
前記表示時間制御手段は、
前記破棄数算出手段により算出された破棄数に応じて、前記第１の表示制御手段による被写体像の表示時間を延長することを特徴とする請求項１乃至５の何れかに記載の撮影装置。
【請求項７】
撮影部にて複数の被写体像を時系列的に順次取得させる撮影ステップと、
前記撮影ステップにて順次取得されるその時系列において、取得された前記被写体像が変化したか否かを判断する判断ステップと、
前記判断ステップにより変化したと判断された被写体像を、記録媒体に記録させる記録制御ステップと、
前記記録媒体に記録された各被写体像を、表示部に所定の時間間隔で順次表示させる表示制御ステップと、
前記表示制御ステップにて表示される被写体像の後に表示されるべき、前記記録制御ステップによって記録されなかった被写体像の破棄数を算出する破棄数算出ステップと、
前記破棄数算出ステップにて算出された被写体像の破棄数に基づいて、前記表示制御ステップにおける被写体像の表示時間を制御する表示時間制御ステップと、
を含むことを特徴とする画像記録方法。
【請求項８】
撮影された画像を記録媒体に記録する撮影装置のコンピュータを、
複数の被写体像を時系列的に順次取得させる撮影手段、
前記撮影手段によって順次取得されるその時系列において、取得された前記被写体像が変化したか否かを判断する判断手段、
前記判断手段により変化したと判断された被写体像を、前記記録媒体に記録させる記録制御手段、
前記記録媒体に記録された各被写体像を、表示部に所定の時間間隔で順次表示させる表示制御手段、
前記表示制御手段によって表示される被写体像の後に表示されるべき、前記記録制御手段によって記録されなかった被写体像の破棄数を算出する破棄数算出手段、
前記破棄数算出手段によって算出された被写体像の破棄数に基づいて、前記表示制御手段における被写体像の表示時間を制御する表示時間制御手段、
として機能させることを特徴とするプログラム。
【手続補正２】
【補正対象書類名】明細書
【補正対象項目名】０００６
【補正方法】変更
【補正の内容】
【０００６】
【特許文献１】特開２００７−６０２７８号公報
【手続補正３】
【補正対象書類名】明細書
【補正対象項目名】００１０
【補正方法】変更
【補正の内容】
【００１０】
上記目的達成のため、請求項１記載の発明による撮影装置は、複数の被写体像を時系列的に順次取得する撮影手段と、時系列において、前記撮影手段により取得された前記被写体像が変化したか否かを判断する判断手段と、前記判断手段により変化したと判断された被写体像を、記録媒体に記録する記録制御手段と、被写体像を表示する表示手段と、前記記録媒体に記録された各被写体像を、前記表示手段に所定の時間間隔で順次表示させる表示制御手段と、前記表示制御手段により表示される被写体像の後に表示されるべき、前記記録制御手段によって記録されなかった被写体像の破棄数を算出する破棄数算出手段と、 前記破棄数算出手段により算出された被写体像の破棄数に基づいて、前記表示制御手段による被写体像の表示時間を制御する表示時間制御手段と、を具備することを特徴とする。
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】変更
【補正の内容】
【００１６】
また、好ましい態様として、例えば請求項６記載のように、請求項１乃至５の何れかに記載の撮像装置において、前記表示時間制御手段は、前記破棄数算出手段により算出された破棄数に応じて、前記第１の表示制御手段による被写体像の表示時間を延長することを特徴とする。
【手続補正６】
【補正対象書類名】明細書
【補正対象項目名】００１７
【補正方法】変更
【補正の内容】
【００１７】
また、上記目的達成のため、請求項７記載の発明による画像記録方法は、撮影部にて複数の被写体像を時系列的に順次取得させる撮影ステップと、前記撮影ステップにて順次取得されるその時系列において、取得された前記被写体像が変化したか否かを判断する判断ステップと、前記判断ステップにより変化したと判断された被写体像を、記録媒体に記録させる記録制御ステップと、前記記録媒体に記録された各被写体像を、表示部に所定の時間間隔で順次表示させる表示制御ステップと、前記表示制御ステップにて表示される被写体像の後に表示されるべき、前記記録制御ステップによって記録されなかった被写体像の破棄数を算出する破棄数算出ステップと、前記破棄数算出ステップにて算出された被写体像の破棄数に基づいて、前記表示制御ステップにおける被写体像の表示時間を制御する表示時間制御ステップと、を含むことを特徴とする。
【手続補正７】
【補正対象書類名】明細書
【補正対象項目名】００１８
【補正方法】変更
【補正の内容】
【００１８】
また、上記目的達成のため、請求項８記載の発明によるプログラムは、撮影された画像を記録媒体に記録する撮影装置のコンピュータを、複数の被写体像を時系列的に順次取得させる撮影手段、前記撮影手段によって順次取得されるその時系列において、取得された前記被写体像が変化したか否かを判断する判断手段、前記判断手段により変化したと判断された被写体像を、前記記録媒体に記録させる記録制御手段、前記記録媒体に記録された各被写体像を、表示部に所定の時間間隔で順次表示させる表示制御手段、前記表示制御手段によって表示される被写体像の後に表示されるべき、前記記録制御手段によって記録されなかった被写体像の破棄数を算出する破棄数算出手段、前記破棄数算出手段によって算出された被写体像の破棄数に基づいて、前記表示制御手段における被写体像の表示時間を制御する表示時間制御手段、として機能させることを特徴とする。
【手続補正８】
【補正対象書類名】明細書
【補正対象項目名】００１９
【補正方法】変更
【補正の内容】
【００１９】
この発明によれば、連写撮影中に被写体が変化する場合において、撮影画像データを効率的に記録でき、連写撮影された撮影画像データを一定時間間隔でスライドショー再生する場合に、保存されなかった撮影画像データの数に応じて、前の撮影画像データの表示時間を延ばすことで、被写体の動きが飛び飛びの再生画像とならず、滑らかな動きとなるように再生することができる。